(57)【要約】      （修正有）【課題】表示品質を向上させて液晶表示装置の厚さを減少させることができるバックライトアセンブリ及びこれを含む液晶表示装置を提供する。【解決手段】バックライトアセンブリ９４０は、光を案内する導光板９４２と、導光板９４２の第１側に配置され、光を提供する複数の第１発光ブロックを含む第１発光モジュール９５０ａと、導光板の第２側に配置され、光を提供する複数の第２発光ブロックを含む第２発光モジュール９５０ｂと、各発光ブロックの輝度を制御する複数の光ドライバと、を有し、第１発光モジュール９５０ａに含まれる少なくとも一つの第１発光ブロックと、第２発光モジュール９５０ｂに含まれる少なくとも一つの第２発光ブロックと、が互いに接続され、第１発光ブロック及び第２発光ブロックのそれぞれと少なくとも一つの光ドライバとが接続される。【選択図】図２
2010108929.tif 000002
【特許請求の範囲】
【請求項１】
光を案内する導光板と、
前記導光板の第１側に配置され、光を提供する複数の第１発光ブロックを含む第１発光モジュールと、
前記導光板の第２側に配置され、光を提供する複数の第２発光ブロックを含む第２発光モジュールと、
前記各発光ブロックの輝度を制御する複数の光ドライバと、を有し、
前記第１発光モジュールに含まれる少なくとも一つの第１発光ブロックと、前記第２発光モジュールに含まれる少なくとも一つの第２発光ブロックと、が互いに接続され、前記第１発光ブロック及び前記第２発光ブロックのそれぞれと少なくとも一つの前記光ドライバとが接続されることを特徴とするバックライトアセンブリ。
【請求項２】
前記少なくとも一つの第１発光ブロックと、前記少なくとも一つの第２発光ブロックと、前記少なくとも一つの光ドライバとは、一つのストリング（ｓｔｒｉｎｇ）で結線されることを特徴とする請求項１に記載のバックライトアセンブリ。
【請求項３】
前記第１発光モジュール及び第２発光モジュールは、前記複数の発光ブロックと電気的に接続された第１接続端子及び第２接続端子をそれぞれ含み、
前記第１接続端子及び第２接続端子は、接続部により電気的に接続されることを特徴とする請求項１に記載のバックライトアセンブリ。
【請求項４】
電気的に接続された前記第１発光ブロック及び第２発光ブロックを含む一つの発光グループを含み、
前記各第１発光ブロック及び第２発光ブロックは、直列に接続された複数の発光素子を含み、
前記各発光素子は、発光ダイオード（ＬＥＤ）であることを特徴とする請求項１に記載のバックライトアセンブリ。
【請求項５】
前記各第１発光ブロックは、前記第１発光モジュール上に配置された複数の発光素子を含み、
前記各第２発光ブロックは、前記第２発光モジュール上に配置された複数の発光素子を含み、
前記第１発光モジュールは、前記複数の発光素子が配置された第１支持部と、前記複数の発光素子の配線が形成された第１配線部とを含み、
前記第２発光モジュールは、前記複数の発光素子が配置された第２支持部と、前記複数の発光素子の配線が形成された第２配線部とを含み、
前記第１支持部と前記第２支持部とは互いに対向するように配置されることを特徴とする請求項１に記載のバックライトアセンブリ。
【請求項６】
前記第１支持部及び第２支持部は、それぞれ第１方向に沿って延長され、
前記第１配線部及び第２配線部は、それぞれ前記第１方向と異なる第２方向に沿って延長されることを特徴とする請求項５に記載のバックライトアセンブリ。
【請求項７】
前記第１配線部は、前記導光板の下部に配置されることを特徴とする請求項５に記載のバックライトアセンブリ。
【請求項８】
前記第１配線部は、前記第１支持部の一端と垂直に結合されることを特徴とする請求項５に記載のバックライトアセンブリ。
【請求項９】
前記第１発光モジュールは、前記第１支持部に形成された前記複数の発光素子と、前記第１配線部の配線を互いに電気的に接続する接続配線とを含む第３配線部を更に含み、
前記第２発光モジュールは、前記第２支持部に形成された前記複数の発光素子と、前記第２配線部の配線を互いに電気的に接続する接続配線とを含む第４配線部を更に含み、
前記第３配線部及び第４配線部は、前記導光板の下部に配置されることを特徴とする請求項５に記載のバックライトアセンブリ。
【請求項１０】
前記第３配線部及び第４配線部は、前記第１支持部及び第２支持部とそれぞれ「Ｌ」字形状を形成することを特徴とする請求項９に記載のバックライトアセンブリ。
【請求項１１】
前記第１支持部及び第２支持部の幅は、前記第１支持部及び第２支持部上に実装された前記各発光素子の幅に対応することを特徴とする請求項５に記載のバックライトアセンブリ。
【請求項１２】
前記第３配線部及び第４配線部は、それぞれ第１方向に沿って延長され、
前記第１配線部は、前記第３配線部の一端と接続され、前記第１方向に沿って延長される第１領域と、前記第１方向と互いに異なる第２方向に沿って延長される第２領域とを含み、
前記第２配線部は、前記第４配線部の一端と接続され、前記第１方向に沿って延長される第１領域と、前記第１方向と互いに異なる第２方向に沿って延長される第２領域とを含み、
前記第１配線部及び第２配線部は、それぞれ折曲部を含み、
前記各折曲部を基準として前記第１配線部及び第２配線部の前記第１領域と前記第２領域との延長方向が変更されることを特徴とする請求項９に記載のバックライトアセンブリ。
【請求項１３】
映像を表示する液晶パネルと、
前記液晶パネルの下部に位置して前記液晶パネルに提供される光を案内する導光板、前記導光板の第１側に配置されて光を提供する複数の第１発光ブロックを含む第１発光モジュール、前記導光板の第２側に配置されて光を提供する複数の第２発光ブロックを含む第２発光モジュール、及び前記各発光ブロックの輝度を制御する複数の光ドライバを有し、
前記第１発光モジュールに含まれる少なくとも一つの第１発光ブロックと、前記第２発光モジュールに含まれる少なくとも一つの第２発光ブロックと、が互いに接続され、前記第１発光ブロック及び前記第２発光ブロックのそれぞれと少なくとも一つの前記光ドライバとが接続されたバックライトアセンブリと、を備えることを特徴とする液晶表示装置。
【発明の詳細な説明】
【技術分野】
【０００１】
本発明は、バックライトアセンブリ及びこれを含む液晶表示装置に関し、より詳細には、発光ブロックを含むバックライトアセンブリ及びこれを含む液晶表示装置に関するものである。
【背景技術】
【０００２】
液晶表示装置は、画素電極が具備された第１表示板、共通電極が具備された第２表示板、第１表示板と第２表示板との間に注入された誘電率異方性（ｄｉｅｌｅｃｔｒｉｃ  ａｎｉｓｏｔｒｏｐｙ）を有する液晶層を備える液晶パネルを含む。画素電極と共通電極との間に電界が形成され、この電界の強度を調節することによって液晶パネルを透過する光の量が制御されて所望する画像が表示される。液晶表示装置は、それ自体が発光型表示装置ではないため、光源として複数の発光ブロックを含む。
【０００３】
液晶表示装置の表示品質は、発光ブロックの輝度を調節することによって向上させることができる。しかし、発光ブロックは、液晶表示装置の厚さを増加させ得る。従って、発光ブロックを含むバックライトアセンブリに関する更なる研究が要求されている。
【先行技術文献】
【特許文献】
【０００４】
【特許文献１】特開平１０−１７２７５８号公報
【発明の概要】
【発明が解決しようとする課題】
【０００５】
そこで、本発明は、上記従来の問題点に鑑みてなされたものであって、本発明の目的は、表示品質を向上させて液晶表示装置の厚さを減少させることができるバックライトアセンブリを提供することにある。
【０００６】
本発明の他の目的は、表示品質を向上させて液晶表示装置の厚さを減少させることができる液晶表示装置を提供することにある。
【課題を解決するための手段】
【０００７】
上記目的を達成するためになされた本発明の一特徴によるバックライトアセンブリは、光を案内する導光板と、前記導光板の第１側に配置され、光を提供する複数の第１発光ブロックを含む第１発光モジュールと、前記導光板の第２側に配置され、光を提供する複数の第２発光ブロックを含む第２発光モジュールと、前記各発光ブロックの輝度を制御する複数の光ドライバと、を有し、前記第１発光モジュールに含まれる少なくとも一つの第１発光ブロックと、前記第２発光モジュールに含まれる少なくとも一つの第２発光ブロックと、が互いに接続され、前記第１発光ブロック及び前記第２発光ブロックのそれぞれと少なくとも一つの前記光ドライバとが接続される。
【０００８】
上記他の目的を達成するためになされた本発明の一特徴による液晶表示装置は、映像を表示する液晶パネルと、前記液晶パネルの下部に位置して前記液晶パネルに提供される光を案内する導光板、前記導光板の第１側に配置されて光を提供する複数の第１発光ブロックを含む第１発光モジュール、前記導光板の第２側に配置されて光を提供する複数の第２発光ブロックを含む第２発光モジュール、及び前記各発光ブロックの輝度を制御する複数の光ドライバを有し、前記第１発光モジュールに含まれる少なくとも一つの第１発光ブロックと、前記第２発光モジュールに含まれる少なくとも一つの第２発光ブロックと、が互いに接続され、前記第１発光ブロック及び前記第２発光ブロックのそれぞれと少なくとも一つの前記光ドライバとが接続されたバックライトアセンブリと、を備える。
【０００９】
本発明のその他の具体的な特徴は詳細な説明及び図面に記載されている。
【発明の効果】
【００１０】
本発明のバックライトアセンブリ及びこれを含む液晶表示装置によれば、表示品質を向上させて液晶表示装置の厚さを減少させることができる。
【図面の簡単な説明】
【００１１】
【図１】本発明の一実施形態によるバックライトアセンブリ及びこれを含む液晶表示装置を説明するためのブロック図である。
【図２】本発明の一実施形態によるバックライトアセンブリ及びこれを含む液晶表示装置を説明するための分解斜視図である。
【図３】図１に示す液晶表示装置に含まれる一画素の等価回路図である。
【図４】図１に示す映像信号制御部を説明するためのブロック図である。
【図５】図１に示す光データ信号制御部を説明するためのブロック図である。
【図６】図１に示す表示ブロック、発光ブロック、及び発光グループが配列された一形態を説明するための概念図である。
【図７】図１に示す各発光ブロックの電気的接続関係を示す概略的な回路図である。
【図８】図２に示す第１配線部及び第２配線部と光ドライバの電気的接続方式を説明するための例示的な図である。
【図９】本発明の他の実施形態によるバックライトアセンブリ及びこれを含む液晶表示装置を説明するための一部の斜視図である。
【図１０】図９に示す第１発光モジュールの配線の配置を説明するための図である。
【図１１】図９に示すＡ−Ａ’に沿って切断した断面図である。
【図１２】本発明のまた他の実施形態によるバックライトアセンブリ及びこれを含む液晶表示装置を説明するための一部の平面図である。
【図１３】図１２に示す第１発光モジュールを説明するための部分斜視図である。
【図１４】図１２に示す第２発光モジュールを説明するための部分斜視図である。
【図１５】本発明のまた他の実施形態によるバックライトアセンブリ及びこれを含む液晶表示装置の第１発光モジュール及び第２発光モジュールを製作するための製作設計図を説明するための例示的な図である。
【発明を実施するための形態】
【００１２】
本発明の利点、特徴、及びそれらを達成する方法は、図面と共に詳細に後述する実施形態を参照すれば明確になるであろう。しかし、本発明は、以下で開示する実施形態に限定されるものではなく、異なる多様な形態で具現することが可能である。本実施形態は、単に本発明の開示が完全になるようにし、本発明が属する技術分野で通常の知識を有する者に対して発明の範疇を完全に知らしめるために提供されるものである。なお、明細書全体にかけて、同一の参照符号は同一の構成要素を指すものとする。
【００１３】
一つの素子（ｅｌｅｍｅｎｔｓ）が、他の素子と「接続された（ｃｏｎｎｅｃｔｅｄ  ｔｏ）」又は「カップリングされた（ｃｏｕｐｌｅｄ  ｔｏ）」として参照する場合は、他の素子と直接連結又はカップリングされた場合、或いは中間に他の素子を介在させた場合のすべてを含む。これに対し、一つの素子が異なる素子と「直接接続された（ｄｉｒｅｃｔｌｙ  ｃｏｎｎｅｃｔｅｄ  ｔｏ）」又は「直接カップリングされた（ｄｉｒｅｃｔｌｙ  ｃｏｕｐｌｅｄ  ｔｏ）」として参照する場合は、間に他の素子を介在させないことを表わす。明細書全体にかけて、同一の参照符号は、同一の構成要素を参照する。「及び／又は」は、言及されたアイテムの各々及び一つ以上のすべての組合せを含む。
【００１４】
第１、第２等が、多様な素子、構成要素及び／又はセクションを説明するために使用される。しかし、これら素子、構成要素及び／又はセクションは、これらの用語によって制限されないことは勿論である。これらの用語は単に一つの素子、構成要素、又はセクションを他の素子、構成要素、又はセクションと区別するために使用されるものである。従って、以下で言及する第１素子、第１構成要素、又は第１セクションは、本発明の技術的思想内で第２素子、第２構成要素、又は第２セクションであり得ることは勿論である。
【００１５】
本明細書で使用する用語は、実施形態を説明するためのものであり、本発明を制限しようとするものではない。本明細書において単数形は、文言で特別に言及しない限り、複数形をも含む。明細書で使用する「含む（ｃｏｍｐｒｉｓｅｓ）」及び／又は「含む（ｃｏｍｐｒｉｓｉｎｇ）」は、言及した構成要素、段階、動作、及び／又は素子は、一つ以上の他の構成要素、段階、動作、及び／又は素子の存在又は追加を排除しない。
【００１６】
他に定義されなければ、本明細書で使用するすべての用語（技術及び科学的用語を含む）は、本発明が属する技術分野で通常の知識を有する者に共通に理解され得る意味において使用するものである。また、一般的に使用される辞典に定義されている用語は、明確に特別に定義されていない限り理想的に又は過度に解釈されない。
【００１７】
以下で記載されるマトリックスの「行」及び「列」は、それぞれ観察者の観点によって「列」及び「行」となり得る。従って、本明細書に記載された「行」は、「列」に代替され得、「列」は「行」に代替され得る。
【００１８】
以下、本発明のバックライトアセンブリ及びこれを含む液晶表示装置を実施するための形態を、図面を参照しながら詳細に説明する。
【００１９】
先ず、図１〜図８を参照して本発明の一実施形態によるバックライトアセンブリ及びこれを含む液晶表示装置を説明する。図１は、本発明の一実施形態によるバックライトアセンブリ及びこれを含む液晶表示装置を説明するためのブロック図である。図２は、本発明の一実施形態によるバックライトアセンブリ及びこれを含む液晶表示装置を説明するための分解斜視図である。図３は、図１に示す液晶表示装置に含まれる一画素の等価回路図である。図４は、図１に示す映像信号制御部を説明するためのブロック図である。図５は、図１に示す光データ信号制御部を説明するためのブロック図である。図６は、図１に示す表示ブロック、発光ブロック、及び発光グループが配列された一形態を説明するための概念図である。図７は、図１に示す各発光ブロックの電気的接続関係を示す概略的な回路図である。図８は、図２に示す第１配線部及び第２配線部と光ドライバの電気的接続方式を説明するための例示的な図である。
【００２０】
図１を参照すると、液晶表示装置１０は、液晶パネル３００、ゲートドライバ４００、データドライバ５００、タイミングコントローラ６００、光ドライバモジュール７００を含み得る。ここで、タイミングコントローラ６００は、映像信号制御モジュール６００＿１と光データ信号制御モジュール６００＿２を含み得る。映像信号制御モジュール６００＿１は、液晶パネル３００に表示される映像を制御し、光データ信号制御モジュール６００＿２は、光ドライバモジュール７００を制御することができる。一実施形態において、映像信号制御モジュール６００＿１と光データ信号制御モジュール６００＿２は物理的に分離することもできる。
【００２１】
図２及び図３を参照して本発明による一実施形態による液晶表示装置１０を構造的に見ると、液晶パネルアセンブリ９３０、バックライトアセンブリ９４０、上部収納容器９１０、及び下部収納容器９６０を含む。
【００２２】
また、液晶パネルアセンブリ９３０は、第１表示板１００、第２表示板２００、及び２つの表示板の間に介在する液晶層（図３の１５０参照）を含む液晶パネル３００、ゲートテープキャリアパッケージ９３１、データテープキャリアパッケージ９３２、及び統合印刷回路基板９３５などで構成される。
【００２３】
図１及び図２を参照すると、液晶パネル３００は、複数の表示ブロック（ＤＢ１〜ＤＢ（ｎ×ｍ））に区分することができる。例えば、複数の表示ブロック（ＤＢ１〜ＤＢ（ｎ×ｍ））は（ｎ×ｍ）行列形態で配列され得る。各表示ブロック（ＤＢ１〜ＤＢ（ｎ×ｍ））は複数の画素を含む。液晶パネル３００は、複数のゲートライン（Ｇ１−Ｇｋ）と複数のデータライン（Ｄ１〜Ｄｊ）を含む。
【００２４】
図３を参照すると、一つの画素（ＰＸ）、例えばｆ番目（ｆ＝１〜ｋ）のゲートライン（Ｇｆ）とｇ番目（ｇ＝１〜ｊ）のデータライン（Ｄｇ）に接続された画素（ＰＸ）は、液晶キャパシタ（Ｃｌｃ）及びストレージキャパシタ（ｓｔｏｒａｇｅ  ｃａｐａｃｉｔｏｒ）（Ｃｓｔ）を含む。液晶キャパシタ（Ｃｌｃ）は、第１表示板１００上に形成された画素電極（ＰＥ）と、第２表示板２００上に形成された共通電極（ＣＥ）と、これらの間に介在する液晶層１５０を含み得る。第２表示板２００上の一部領域にカラーフィルタ（ＣＦ）が形成され得る。スイッチング素子（Ｑｐ）は、ｆ番目（ｆ＝１〜ｎ）のゲートライン（Ｇｆ）とｇ番目（ｇ＝１〜ｍ）のデータライン（Ｄｇ）に接続され、液晶キャパシタ（Ｃｌｃ）にデータ電圧を提供することができ、ストレージキャパシタ（Ｃｓｔ）は必要によって省略することができる。
【００２５】
再び、図１及び図２を参照すると、ゲートテープキャリアパッケージ９３１は、第１表示板１００に形成された各ゲートライン（Ｇ１−Ｇｋ）に接続され、データテープキャリアパッケージ９３２は、第１表示板１００に形成された各データライン（Ｄ１〜Ｄｊ）に接続される。
【００２６】
また、統合印刷回路基板９３５は、ゲートテープキャリアパッケージ９３１に入力されるゲート制御信号（ＣＯＮＴ２）と、データテープキャリアパッケージ９３２に入力されるデータ制御信号（ＣＯＮＴ１）を処理する様々な駆動部品が実装され得る。即ち、統合印刷回路基板９３５は、液晶パネル３００に接続されて映像情報を提供することができる。
【００２７】
バックライトアセンブリ９４０は、光学シート９４１、導光板９４２、第１発光モジュール９５０ａ及び第２発光モジュール９５０ｂ、反射シート９４６などで構成することができる。
【００２８】
導光板９４２は、第１発光モジュール９５０ａ及び第２発光モジュール９５０ｂから液晶パネル３００に供給される光を案内する役割を果たす。導光板９４２は、光を効率的に伝達することができるプラスチック系の透明な物質から成るプレート（ｐｌａｔｅ）を含み得る。例えば、導光板９４２としては、ＰＭＭＡ（ＰｏｌｙＭｅｔｈｙｌ  ＭｅｔｈＡｃｒｙｌａｔｅ）などのようなアクリル樹脂又はポリカーボネート（ＰｏｌｙＣａｒｂｏｎａｔｅ）などが使用され得る。導光板９４２の一側面に入射した光が導光板９４２の臨界角以上の角度で導光板９４２の上面又は下面に到着すれば導光板９４２外部に放出されず、導光板９４２表面で全反射され、例えば導光板９４２内部全体に行き渡る。
【００２９】
導光板９４２の上面及び下面のうちの少なくとも一面には導光板９４２内部の光が導光板９４２の上部に安着される液晶パネル３００に放出されるように拡散パターン（図示せず）が形成され得る。例えば、導光板９４２の下面に拡散パターンが形成され得る。即ち、導光板９４２内部で反射していた光は拡散パターンで反射し、導光板９４２の上面を通じて外部に放出される。
【００３０】
導光板９４２の両側には第１発光モジュール９５０ａ及び第２発光モジュール９５０ｂが配置されている。一実施形態において、表示画面の全体に均一に光が伝達されるようにするために導光板９４２は厚さが実質的に均一なフラット（ｆｌａｔ）タイプで形成され得る。ただし、本発明はこれに限定されず、多様な形状の導光板を適用することができる。
【００３１】
第１発光モジュール９５０ａ及び第２発光モジュール９５０ｂは、それぞれ導光板９４２の一側と、他側にそれぞれ配置され、光を提供する複数の発光ブロックを含む。この際、第１発光モジュール９５０ａに含まれる少なくとも一つの第１発光ブロックと、第２発光モジュール９５０ｂに含まれる少なくとも一つの第２発光ブロックは互いに電気的に接続される。
【００３２】
反射シート９４６は、導光板９４２の下部に設置されて導光板９４２の下部に放出される光を上部に反射する。例えば、反射シート９４６は、導光板９４２の一面に形成された拡散パターンによって反射しなかった光を再び導光板９４２の出射面側に反射させることによって、液晶パネル３００に入射する光の損失を減らすと共に導光板９４２の出射面に透過する光の均一度を向上させる役割を果たす。
【００３３】
光学シート９４１は、導光板９４２の上部面に設置されて導光板９４２から伝達される光を拡散して集光する役割を果たす。光学シート９４１は、拡散シート、プリズムシート、保護シートなどを含む。導光板９４２とプリズムシートとの間に位置した拡散シートは導光板９４２から入射する光を分散させることによって光が部分的に密集することを防止する。例えば、プリズムシートは、上部面に三角柱形状のプリズムが一定の配列を有して形成されており、通常２枚のシートで構成されてそれぞれのプリズム配列が互いに所定の角度で交錯するように配置され得る。一実施形態において、拡散シートから広がった光を液晶パネル３００に垂直な方向に集光する役割を果たすことができる。これによって、プリズムシートを通過する光はほぼ大部分実質的に垂直に進むようになって保護シート上の輝度分布が均一に得られる。プリズムシートの上に形成される保護シートはプリズムシートの表面を保護する役割を果たすことができる。また、保護シートは光の分布を均一にするために光を拡散させる役割を果たすことができる。このような光学シート９４１の構成は上の例に限定されず、液晶表示装置１０の仕様によって多様に変更され得る。
【００３４】
液晶パネル３００は、保護シートの上に設置され、バックライトアセンブリ９４０と共に下部収納容器９６０内に安着する。下部収納容器９６０は、床面の縁に沿って側壁が形成されて側壁内にバックライトアセンブリ９４０及び液晶パネルアセンブリ９３０を收容して固定させる役割をし、複数のシートを具備するバックライトアセンブリ９４０が曲がることを防止する。そして、液晶パネルアセンブリ９３０の統合印刷回路基板９３５は、下部収納容器９６０の外側面に沿って折り曲げられて下部収納容器９６０の背面に安着する。ここで、バックライトアセンブリ９４０又は液晶パネルアセンブリ９３０を下部収納容器９６０に收容する方法によって、下部収納容器９６０の形状は多様に変形され得る。
【００３５】
また、下部収納容器９６０に収納された液晶パネルアセンブリ９３０の上面を覆うように上部収納容器９１０が下部収納容器９６０と結合され得る。上部収納容器９１０の上部面には液晶パネルアセンブリ９３０を外部に露出させる表示窓が形成され得る。
【００３６】
映像信号制御モジュール６００＿１は、外部のグラフィック制御器（図示せず）からＲ、Ｇ、Ｂ信号（Ｒ、Ｇ、Ｂ）及びこれの表示を制御する制御信号（Ｖｓｙｎｃ、Ｈｓｙｎｃ、Ｍｃｌｋ、ＤＥ）を受信する。Ｒ、Ｇ、Ｂ信号（Ｒ、Ｇ、Ｂ）及び制御信号（Ｖｓｙｎｃ、Ｈｓｙｎｃ、Ｍｃｌｋ、ＤＥ）に基づいてデータ制御信号（ＣＯＮＴ１）及びゲート制御信号（ＣＯＮＴ２）を生成する。制御信号の例としては、垂直同期信号（Ｖｓｙｎｃ）と水平同期信号（Ｈｓｙｎｃ）、メインクロック（Ｍｃｌｋ）、データイネーブル信号（ＤＥ）などがある。また映像信号制御モジュール６００＿１は、Ｒ、Ｇ、Ｂ映像信号（Ｒ、Ｇ、Ｂ）の入力を受けて各表示ブロック（ＤＢ１〜ＤＢ（ｎ×ｍ））に対応する代表映像信号（Ｒ＿ＤＢ１〜Ｒ＿ＤＢ（ｎ×ｍ））を出力する。映像信号制御モジュール６００＿１は、Ｒ、Ｇ、Ｂ映像信号（Ｒ、Ｇ、Ｂ）の入力を受けて各表示ブロック（ＤＢ１〜ＤＢ（ｎ×ｍ））に対応する代表映像信号（Ｒ＿ＤＢ１〜Ｒ＿ＤＢ（ｎ×ｍ））を決定して光データ信号制御モジュール６００＿２に提供する。
【００３７】
図１及び図５を参照すると、光データ信号制御モジュール６００＿２は、代表映像信号（Ｒ＿ＤＢ１〜Ｒ＿ＤＢ（ｎ×ｍ））の提供を受けて各代表映像信号（Ｒ＿ＤＢ１〜Ｒ＿ＤＢ（ｎ×ｍ））に対応する光データ信号（ＬＤＡＴ）を光ドライバモジュール７００に提供する。ここで、光データ信号（ＬＤＡＴ）は、光ドライバモジュール７００にそれぞれ提供する光データ信号（例えば、ＬＤＡＴ１〜ＬＤＡＴｍ）を含み得る。
【００３８】
図１及び図４を参照すると、図１に示す映像信号制御モジュール６００＿１は、制御信号生成部６１０と映像信号処理部６２０と代表値決定部６３０を含み得る。
【００３９】
制御信号生成部６１０は、外部制御信号（Ｖｓｙｎｃ、Ｈｓｙｎｃ、Ｍｃｌｋ、ＤＥ）の入力を受けてデータ制御信号（ＣＯＮＴ１）及びゲート制御信号（ＣＯＮＴ２）を出力する。例えば、制御信号生成部６１０は、図１に示すゲートドライバ４００の動作を開始する垂直開始信号（ＳＴＶ）、ゲートオン電圧の出力時期を決定するゲートクロック信号（ＣＰＶ）及びゲートオン電圧のパルス幅を決定する出力イネーブル信号（ＯＥ）、図１に示すデータドライバ５００の動作を開始する水平開始信号（ＳＴＨ）及び映像データ電圧の出力を指示する出力指示信号（ＴＰ）を出力することができる。
映像信号処理部６２０は、Ｒ、Ｇ、Ｂ映像信号（Ｒ、Ｇ、Ｂ）の入力を受けて映像データ信号（ＩＤＡＴ）を出力することができる。
【００４０】
代表値決定部６３０は、各表示ブロック（ＤＢ１〜ＤＢ（ｎ×ｍ））に対応する代表映像信号（Ｒ＿ＤＢ１〜Ｒ＿ＤＢ（ｎ×ｍ））を決定する。例えば、代表値決定部６３０は、Ｒ、Ｇ、Ｂ映像信号（Ｒ、Ｇ、Ｂ）の入力を受けて代表映像信号（Ｒ＿ＤＢ１〜Ｒ＿ＤＢ（ｎ×ｍ））を決定することができる。ここで、各代表映像信号（Ｒ＿ＤＢ１〜Ｒ＿ＤＢ（ｎ×ｍ））は、各表示ブロック（ＤＢ１〜ＤＢ（ｎ×ｍ））に提供されるＲ、Ｇ、Ｂ映像信号（Ｒ、Ｇ、Ｂ）の平均値であり得る。従って、各代表映像信号（Ｒ＿ＤＢ１〜Ｒ＿ＤＢ（ｎ×ｍ））は、各表示ブロック（ＤＢ１〜ＤＢ（ｎ×ｍ））の平均輝度を意味し得る。又は、各代表映像信号（Ｒ＿ＤＢ１〜Ｒ＿ＤＢ（ｎ×ｍ））は、各表示ブロック（ＤＢ１〜ＤＢ（ｎ×ｍ））の階調（ｇｒａｙ）を意味し得る。又は、代表値決定部６３０は、図示するものとは異なり、映像データ信号（ＩＤＡＴ）を利用して各表示ブロック（ＤＢ１〜ＤＢ（ｎ×ｍ））の代表映像信号（Ｒ＿ＤＢ１〜Ｒ＿ＤＢ（ｎ×ｍ））を決定することもできる。
【００４１】
図５を参照すると、図１に示す光データ信号制御モジュール６００＿２は、輝度変換部６４０及び光データ信号出力部６５０を含む。
【００４２】
輝度変換部６４０は、先ず、複数の代表映像信号（Ｒ＿ＤＢ１〜Ｒ＿ＤＢ（ｎ×ｍ））の入力を受けて各代表映像信号（Ｒ＿ＤＢ１〜Ｒ＿ＤＢ（ｎ×ｍ））に対応する各発光ブロック（ＬＢ１〜ＬＢ２ｍ）の輝度信号（Ｒ＿ＬＢ１〜Ｒ＿ＬＢ２ｍ）を決定し、各発光ブロック（ＬＢ１〜ＬＢ２ｍ）の輝度信号（Ｒ＿ＬＢ１〜Ｒ＿ＬＢ２ｍ）を光データ信号出力部６５０に出力する。輝度変換部６４０は、ルックアップテーブル（図示せず）を利用して各代表映像信号（Ｒ＿ＤＢ１〜Ｒ＿ＤＢ（ｎ×ｍ））に対応する各発光ブロック（ＬＢ１〜ＬＢ２ｍ）の輝度信号（Ｒ＿ＬＢ１〜Ｒ＿ＬＢ２ｍ）を決定することができる。この際、同一の発光グループ（ＬＧ１〜ＬＧｍ）に含まれる発光ブロックは同一の輝度で決定され得る。
【００４３】
光データ信号出力部６５０は、各発光ブロック（ＬＢ１〜ＬＢ２ｍ）に印加される光データ信号（ＬＤＡＴ１〜ＬＤＡＴｍ）を出力する。光データ信号（ＬＤＡＴ１〜ＬＤＡＴｍ）は各発光ブロック（ＬＢ１〜ＬＢ２ｍ）が光を提供する各表示ブロック（ＤＢ１〜ＤＢ（ｎ×ｍ））に表示される映像によって決定された信号であり得る。
【００４４】
再び、図１及び図２を参照すると、データドライバ５００は、映像信号制御モジュール６００＿１からデータ制御信号（ＣＯＮＴ１）の提供を受けて映像データ電圧をデータライン（Ｄ１〜Ｄｊ）に印加する。データ制御信号（ＣＯＮＴ１）は、Ｒ、Ｇ、Ｂに対応する映像信号及びデータドライバ５００の動作を制御する信号を含む。データドライバ５００の動作を制御する信号は、データドライバ５００の動作を開始する水平開始信号と、映像データ電圧の出力を指示する出力指示信号などを含み得る。
【００４５】
ゲートドライバ４００は、映像信号制御モジュール６００＿１からゲート制御信号（ＣＯＮＴ２）の提供を受けてゲート信号をゲートライン（Ｇ１〜Ｇｋ）に印加する。ここで、ゲート信号は、ゲートオン／オフ電圧発生部（図示せず）から提供されたゲートオン電圧（Ｖｏｎ）とゲートオフ電圧（Ｖｏｆｆ）の組合せから成る。ゲート制御信号（ＣＯＮＴ２）は、ゲートドライバ４００の動作を制御するための信号であって、ゲートドライバ４００の動作を開始する垂直開始信号、ゲートオン電圧の出力時期を決定するゲートクロック信号、及びゲートオン電圧のパルス幅を決定する出力イネーブル信号などを含み得る。
【００４６】
ゲートドライバ４００又はデータドライバ５００は、複数の駆動集積回路チップの形態で液晶パネル３００の上に直接装着されるか、フレキシブルプリント回路フィルム（ｆｌｅｘｉｂｌｅ  ｐｒｉｎｔｅｄ  ｃｉｒｃｕｉｔ  ｆｉｌｍ：ＦＰＣ）（図示せず）の上に装着されてテープキャリアパッケージ（ｔａｐｅ  ｃａｒｒｉｅｒ  ｐａｃｋａｇｅ：ＴＣＰ）の形態で液晶パネル３００に取り付けることができる。これとは異なり、ゲートドライバ４００又はデータドライバ５００は、表示信号線（Ｇ１−Ｇｋ、Ｄ１〜Ｄｊ）とスイッチング素子（Ｑｐ）などと共に液晶パネル３００に集積することもできる。
【００４７】
図６を参照して複数の発光ブロック（ＬＢ１〜ＬＢ２ｍ）と複数の表示ブロック（ＤＢ１〜ＤＢ（ｎ×ｍ））との間の位置関係を見ると、複数の発光ブロック（ＬＢ１〜ＬＢ２ｍ）はエッジ型（ｅｄｇｅ−ｔｙｐｅ）で配置された点光源であり得、例えば、発光ダイオード（ＬＥＤ）であり得る。各発光ブロック（ＬＢ１〜ＬＢ２ｍ）は、マトリックス形態で配列された複数の表示ブロック（ＤＢ１〜ＤＢ（ｎ×ｍ））の各列（ＣＯＬ１〜ＣＯＬｍ）と対応するように区分されて配列され得る。即ち、複数の表示ブロックは（ＤＢ１〜ＤＢ（ｎ×ｍ））は、ｎ個の行とｍ個の列で構成され、発光ブロック（ＬＢ１〜ＬＢ２ｍ）はｍ個の列（ＣＯＬ１〜ＣＯＬｍ）に対応する２ｍ個のブロックで構成され得る。また、各発光ブロック（ＬＢ１〜ＬＢ２ｍ）は、第１マトリックス形態で配列された表示ブロック（ＤＢ１〜ＤＢ（ｎ×ｍ））の各列（ＣＯＬ１〜ＣＯＬｍ）に光を提供することができる。
【００４８】
例えば、複数の発光ブロック（ＬＢ１〜ＬＢ２ｍ）は、例えばマトリックス形態で配列された複数の表示ブロック（ＤＢ１〜ＤＢ（ｎ×ｍ））の一側、例えば上部で光を提供する複数の発光ブロック（ＬＢ１〜ＬＢｍ）を含む第１発光モジュールと、複数の表示ブロック（ＤＢ１〜ＤＢ（ｎ×ｍ））の他側、例えば下部で光を提供する複数の発光ブロック（ＬＢｍ＋１〜ＬＢ２ｍ）を含む第２発光モジュールに区分され得る。この際、第１発光モジュールに含まれる少なくとも一つの第１発光ブロック（ＬＢ１〜ＬＢｍ）と、第２発光モジュールに含まれる少なくとも一つの第２発光ブロック（ＬＢｍ＋１〜ＬＢ２ｍ）は互いに電気的に接続される。互いに電気的に接続された第１発光ブロック及び第２発光ブロック（ＬＢ１〜ＬＢｍ、ＬＢｍ＋１〜ＬＢ２ｍ）は一つの発光グループ（ＬＧ１〜ＬＧｍ）でそれぞれ定義される。
【００４９】
図６では、複数の発光ブロック（ＬＢ１〜ＬＢ２ｍ）が導光板（図２の９４２参照）ではない複数の表示ブロック（ＤＢ１〜ＤＢ（ｎ×ｍ））を含む液晶パネル３００の両側に配置されたものを図示しているが、これは複数の発光ブロック（ＬＢ１〜ＬＢ２ｍ）と複数の表示ブロック（ＤＢ１〜ＤＢ（ｎ×ｍ））との間の関係を容易に説明するためである。従って、本発明の一実施形態によるバックライトアセンブリ及びこれを含む液晶表示装置の構造的側面で、複数の発光ブロック（ＬＢ１〜ＬＢ２ｍ）は、液晶パネル３００の下部に位置して光を案内する導光板９４２の両側に配置される。
【００５０】
図２及び図７を参照して複数の発光ブロック（ＬＢ１〜ＬＢ２ｍ）の電気的接続関係を説明する。図示していないが、光ドライバモジュール７００は、複数の光ドライバを含み得、以下では第１光ドライバ７００＿１に接続された第１発光ブロック及び第２発光ブロック（ＬＢ１、ＬＢｍ＋１）のみを説明するが、これは一つの例示に他ならず、残りの光ドライバ（７００＿２〜７００＿ｍ）にそれぞれ接続された発光ブロック（ＬＢ２〜ＬＢｍ、ＬＢｍ＋２〜ＬＢｍ）に対しても同一に適用され得る。
【００５１】
第１光ドライバ７００＿１は、第１光ドライバ７００＿１に対応する光データ（ＬＤＡＴ）の提供を受けて第１発光ブロック及び第２発光ブロック（ＬＢ１、ＬＢｍ＋１）に光データ（ＬＤＡＴ）に対応する電圧を提供して第１発光ブロック及び第２発光ブロック（ＬＢ１、ＬＢｍ＋１）の輝度を制御することができる。第１発光ブロック及び第２発光ブロック（ＬＢ１、ＬＢｍ＋１）は、それぞれ複数の発光素子を含み、複数の発光素子は各発光グループ（図６のＬＧ１〜ＬＧｍ参照）別に直列に接続することができる。図示するように、第１発光ブロック及び第２発光ブロック（ＬＢ１、ＬＢｍ＋１）は、それぞれ４個の発光素子を含むことができ、結果的に総８個の発光素子を直列に接続することができる。しかし、これは一つの例示に過ぎず、液晶表示装置の仕様によって発光素子の個数は変更され得る。更に、複数の発光素子は発光ダイオードであり得る。
【００５２】
図示するように、第１光ドライバ７００＿１と、第１発光ブロック（ＬＢ１）と、第２発光ブロック（ＬＢｍ＋１）は一つのストリング（ｓｔｒｉｎｇ）で結線され得る。例えば、第１発光ブロック（ＬＢ１）の一端は、第１光ドライバ７００＿１と接続されて第１発光ブロック（ＬＢ１）の他端は第２発光ブロック（ＬＢｍ＋１）の一端と結線され得る。第２発光ブロック（ＬＢｍ＋１）の他端は第１光ドライバ７００＿１に接続される。従って、第１光ドライバ７００＿１と接続された第１発光ブロック及び第２発光ブロック（ＬＢ１、ＬＢｍ＋１）の輝度を同時に制御することができる。言い換えれば、第１発光ブロック及び第２発光ブロック（ＬＢ１、ＬＢｍ＋１）が第１光ドライバ７００＿１と一つのストリングで結線されて同時に点滅されるように制御することができる。図示するものとは異なり、第１発光ブロック及び第２発光ブロック（ＬＢ１、ＬＢｍ＋１）の直列接続を第１光ドライバ７００＿１の上で結線することもできる。これに対する詳細な説明は図８を参照して後述する。
【００５３】
再び、図２を参照して本発明の一実施形態によるバックライトアセンブリ及びこれを含む液晶表示装置の導光板９４２と第１発光モジュール９５０ａ及び第２発光モジュール９５０ｂの位置関係について説明する。
【００５４】
本発明の一実施形態によるバックライトアセンブリ及びこれを含む液晶表示装置は、光を案内する導光板９４２と、導光板９４２の一側に配置されて光を提供する複数の発光ブロックを含む第１発光モジュール９５０ａと、導光板９４２の他側に配置されて光を提供する複数の発光ブロックを含む第２発光モジュール９５０ｂを含み、第１発光モジュール９５０ａに含まれる少なくとも一つの第１発光ブロックと、第２発光モジュール９５０ｂに含まれる少なくとも一つの第２発光ブロックは互いに電気的に接続される。更に、導光板９４２は、映像を表示する液晶パネル３００の下部に位置する。
【００５５】
複数の第１発光ブロック及び第２発光ブロック（図７のＬＢ１〜ＬＢ２ｍ参照）は、それぞれ複数の発光素子（第１発光素子９５１ａ、第２発光素子９５１ｂ）を含み、第１発光ブロックに属する複数の第１発光素子９５１ａは、第１発光モジュール９５０ａ上に配置され、第２発光ブロックに属する複数の第２発光素子９５１ｂは第２発光モジュール９５０ｂ上に配置される。この際、第１発光モジュール９５０ａは、複数の第１発光素子９５１ａが配置されている第１支持部９５２ａと、複数の第１発光素子９５１ａの配線が形成された第１配線部９５３ａを含み、第２発光モジュール９５０ｂは、複数の第２発光素子９５１ｂが配置されている第２支持部９５２ｂと、複数の第２発光素子９５１ｂの配線が形成された第２配線部９５３ｂを含む。第１発光モジュール９５０ａ及び第２発光モジュール９５０ｂは、例えば、印刷回路基板（Ｐｒｉｎｔｅｄ  Ｃｉｒｃｕｉｔ  Ｂｏａｒｄ：ＰＣＢ）又はフレキシブルプリント回路基板（Ｆｌｅｘｉｂｌｅ  Ｐｒｉｎｔｅｄ  Ｃｉｒｃｕｉｔ  ｂｏａｒｄ：ＦＰＣ）であり得る。
【００５６】
第１支持部９５２ａと第２支持部９５２ｂは、互いに対向するように配置され得る。即ち、図示するように第１支持部９５２ａ上に配置された複数の第１発光素子（図示せず）と、第２支持部９５２ｂ上に配置された複数の第２発光素子９５１ｂが導光板９４２に光を提供できるように対向して配置され得る。
【００５７】
第１支持部９５２ａ及び第２支持部９５２ｂは、少なくとも両面が使用可能な印刷回路基板であり得、例えば、ＦＲ４印刷回路基板であり得る。第１支持部９５２ａ及び第２支持部９５２ｂでＦＲ４印刷回路基板などを使用する場合、第１支持部９５２ａ及び第２支持部９５２ｂ内に複数の発光素子（９５１ａ、９５１ｂ）の配線を形成することもできる。
【００５８】
第１配線部９５３ａ及び第２配線部９５３ｂには複数の発光素子（９５１ａ、９５１ｂ）の配線が形成される。例えば、光ドライバ（図１の７００参照）と各発光ブロックを電気的に接続するための配線や、第１発光ブロック及び第２発光ブロックに含まれる発光素子（９５１ａ、９５１ｂ）を電気的に接続するための配線が第１配線部９５３ａ及び第２配線部９５３ｂに形成され得る。
【００５９】
第１配線部９５３ａ及び第２配線部９５３ｂは、複数の発光ブロックと電気的に接続された第１接続端子９５４ａ及び第２接続端子９５４ｂを含み得る。第１接続端子９５４ａ及び第２接続端子９５４ｂは接続部（図示せず）により電気的に接続され得る。例えば、第１接続端子９５４ａ及び第２接続端子９５４ｂは第１発光モジュール９５０ａの第１発光ブロックと、第２発光モジュール９５０ｂの第２発光ブロックが電気的に接続できるようにする。また、第１接続端子９５４ａ及び第２接続端子９５４ｂの各一端は光ドライバ（図１の７００参照）と接続されて光ドライバモジュール７００が提供する電圧が第１発光ブロックに属する複数の発光素子を経て第２発光ブロックに属する複数の発光素子に印加され得るようにする。
【００６０】
第１支持部９５２ａ及び第２支持部９５２ｂは、それぞれ第１方向、例えば導光板９４２の両側壁方向に沿って延長され得る。第１配線部９５３ａ及び第２配線部９５３ｂは、それぞれ第１方向と異なる第２方向、例えば導光板９４２の両側壁を接続する残りの両側壁方向に沿って延長され得る。即ち、第１支持部９５２ａ及び第２支持部９５２ｂが導光板９４２の横方向に沿って延長されると、第１配線部９５３ａ及び第２配線部９５３ｂは導光板９４２の縦方向に沿って延長され得る。これに対し、第１支持部９５２ａ及び第２支持部９５２ｂが導光板９４２の縦方向に沿って延長され、第１配線部９５３ａ及び第２配線部９５３ｂは導光板９４２の横方向に沿って延長される場合も可能であることは勿論である。
【００６１】
この際、第１配線部９５３ａは導光板９４２の下部に配置され得る。例えば、第１配線部９５３ａは、第１発光モジュール９５０ａに配置された複数の発光素子の配線が、光ドライバが配置された領域まで到達できるようにガイド（ｇｕｉｄｅ）の役割を果たすことができる。第１配線部９５３ａを導光板９４２の下部、特に導光板９４２の下部の縁に沿って延長されるように配置することで、第１配線部９５３ａによって液晶表示装置のサイズが増加することを防止することができる。図面では第１配線部９５３ａが導光板９４２の真下に配置されるものとして図示しているが、場合によって第１配線部９５３ａは、導光板９４２と反射シート９４６の下部に配置することもできる。
【００６２】
また、第１配線部９５３ａは、第１支持部９５２ａの一端と垂直に結合され得る。上述したように、第１支持部９５２ａが、例えばＦＲ４印刷回路基板で形成された場合、第１支持部９５２ａ内に複数の発光素子の配線が形成され得る。従って、第１配線部９５３ａは第１支持部９５２ａの一端と垂直に結合して第１支持部９５２ａ内に形成された複数の発光素子の配線と電気的に接続され得る。
【００６３】
図８を参照して第１発光ブロック及び第２発光ブロック（ＬＢ１、ＬＢｍ＋１）の電気的接続方式を更に詳細に説明する。
【００６４】
第１配線部９５３ａ及び第２配線部９５３ｂは、第１支持部９５２ａ及び第２支持部９５２ｂと接続された第１配線部９５３ａ及び第２配線部９５３ｂの一端の反対側の終端にそれぞれ第１接続端子９５４ａ及び第２接続端子９５４ｂを含み得る。また、第１接続端子９５４ａ及び第２接続端子９５４ｂは、それぞれ（＋）端子部及び（−）端子部を含み、第１接続端子９５４ａの（＋）及び（−）端子部の何れか一つと、第２接続端子９５４ｂの（＋）及び（−）端子部のうちの他の一つは電気的に接続され得る。
【００６５】
例えば、第１配線部９５３ａの第１接続端子９５４ａの（＋）端子部と、第２配線部９５３ｂの第２接続端子９５４ｂの（−）端子部が互いに電気的に接続され得る。これに対して、第１接続端子９５４ａの（−）端子部と、第２接続端子９５４ｂの（＋）端子部を互いに電気的に接続することも可能である。図面では、第１接続端子９５４ａ及び第２接続端子９５４ｂを光ドライバモジュール７００上の接続部７１１により電気的に接続するものとして図示している。接続部７１１は、上述したように、第１発光モジュールに配置された発光素子と、第２発光モジュールに配置された発光素子を直列接続させる場所の概念として理解することができる。従って、光ドライバモジュール７００から印加される電圧は、第１接続端子９５４ａの（−）端子部と、第２接続端子９５４ｂの（＋）端子部の両終端の電圧差に対応させることができる。ここで、接続部７１１として、例えばコネクタを利用することができる。
【００６６】
整理すると、光ドライバモジュール７００の接続部７１１を通じて第１発光ブロックの発光素子と、第２発光ブロックの発光素子が第１接続端子９５４ａ及び第２接続端子９５４ｂの（＋）又は（−）端子部が直列接続され、光ドライバモジュール７００は第１接続端子９５４ａ及び第２接続端子９５４ｂの残りの端子部を通して電圧を印加し、第１発光ブロック及び第２発光ブロックの輝度を調節することができる。上述した内容は、第１接続端子９５４ａ及び第２接続端子９５４ｂの（＋）及び（−）端子部が互いに変わった場合にも実質的に同一に適用できるのは勿論である。
【００６７】
以下、図９〜図１１を参照して本発明の他の実施形態によるバックライトアセンブリ、これを含む液晶表示装置及びその製造方法について説明する。図９は、本発明の他の実施形態によるバックライトアセンブリ及びこれを含む液晶表示装置を説明するための一部の分解斜視図である。図１０は、図９に示す第１発光モジュールの配線の配置を説明するための図である。図１１は、図９に示すＡ−Ａ’に沿って切断した断面図である。
【００６８】
本発明の他の実施形態によるバックライトアセンブリ、これを含む液晶表示装置及びその製造方法は、第１配線部９７３ａの配線を互いに電気的に接続する接続配線を含む第３配線部９７７ａと、第２配線部９７３ｂの配線を互いに電気的に接続する接続配線を含む第４配線部９７７ｂを更に含むという点から本発明の一実施形態によるバックライトアセンブリ及びこれを含む液晶表示装置と区別される。本発明の一実施形態によるバックライトアセンブリ及びこれを含む液晶表示装置と実質的に同一の内容に対してその説明を省略するか又は簡略にする。
【００６９】
図９を参照すると、第１発光モジュール９７０ａ及び第２発光モジュール９７０ｂは、複数の発光素子がそれぞれ配置されている第１支持部９７２ａ及び第２支持部９７２ｂと、複数の発光素子の配線が形成された第１配線部９７３ａ及び第２配線部９７３ｂと、複数の発光素子と第１配線部９７３ａ及び第２配線部９７３ｂの配線を互いに電気的に接続する接続配線を含む第３配線部９７７ａ及び第４配線部９７７ｂを更に含む。更に説明すると、第１発光モジュール９７０ａの第１発光ブロックに属する複数の発光素子（図示せず）が第１支持部９７２ａ上に配置され、複数の発光素子の配線は第１支持部９７２ａから第３配線部９７７ａを経て第１配線部９７３ａに接続され、第１接続端子により第２発光モジュール９７０ｂの第２発光ブロックに属する複数の発光素子９７１ｂと電気的に接続される。
【００７０】
図１０を参照して第１発光モジュール９７０ａの複数の発光ブロックの配線配置を説明する。図面では第１発光モジュール９７０ａのみを図示しているが、第２発光モジュール９７０ｂにも同一に適用され得る。
【００７１】
第１発光モジュール９７０ａに配置された複数の発光ブロックは、それぞれ複数の発光素子を含み、第１支持部９７２ａ上に実装される。第１支持部９７２ａ上に実装された複数の発光ブロックの各配線は第３配線部９７７ａに沿って延長され得る。この際、複数の発光ブロックの配線を（＋）及び（−）配線別にそれぞれａ及びｂ領域に集めて配置することができる。しかし、このような配置は配線間の接続を容易にするための一つの例示に他ならず、第１支持部９７２ａ上に実装された複数の発光ブロックの各配線が第３配線部９７７ａに沿って延長されて第２配線部９７３ｂと接続されるとするならば、（＋）及び（−）配線の配置は用途によって多様に変形することができる。
【００７２】
第１支持部９７２ａと第３配線部９７７ａは、折れ目（ｆｏｌｄｉｎｇ  ｌｉｎｅ：ＦＬ）を基準として「Ｌ」字形状を形成することができる。即ち、折れ目（ＦＬ）に沿って第３配線部９７７ａを基準として第１支持部９７２ａを垂直方向に折って曲げ、発光ブロックが形成された第１支持部９７２ａが導光板（図９の９４２参照）の側壁に対向するように形成することができる。この際、第３配線部９７７ａの少なくとも一部は導光板９４２の下部に配置され得る。先立って説明したように、第３配線部９７７ａは導光板９４２及び反射シート９４６の下部に配置することもできる。第１支持部９７２ａと第３配線部９７７ａの結合関係は第２支持部９７２ｂと第４配線部９７７ｂにも同一に適用され得る。
【００７３】
第３配線部９７７ａにより延長された第１発光モジュール９７０ａの各発光ブロックの配線は第１配線部９７３ａに接続されて第１接続端子９７４ａで第２発光モジュール９７０ｂの各発光ブロックの配線と電気的に接続され得る。第４配線部９７７ｂにより延長された第２発光モジュール９７０ｂの各発光ブロックの配線も同様である。第１接続端子９７４ａ及び第２接続端子９７４ｂの電気的接続方式は上述したように実質的に同一であるため省略する。
【００７４】
図１１を参照すると、第１支持部９７２ａ及び第２支持部９７２ｂの幅（Ｄ２）は、第１支持部９７２ａ及び第２支持部９７２ｂ上に実装された各発光素子９７１の幅（Ｄ１）に対応させることができる。図示するように、光を提供する各発光素子９７１は導光板９４２の一側及び他側に配置され、支持部９７２の幅（Ｄ２）は支持部９７２上に実装された各発光素子９７１の幅（Ｄ１）に対応させることができる。
【００７５】
ここで各発光素子９７１の幅（Ｄ１）とは、各発光素子９７１の下部収納容器９６０に最も近接した地点から上部収納容器（図２の９１０参照）に最も近接した地点までの距離を意味し得る。また、支持部９７２の幅（Ｄ２）とは、支持部９７２が下部収納容器９６０に接した地点から上部収納容器９１０に最も近接した地点までの距離を意味し得る。
【００７６】
結論として、支持部９７２の幅（Ｄ２）は、各発光素子９７１の幅（Ｄ１）に各発光素子９７１が実装されるための空間的マージンのみを含むため、バックライトアセンブリの幅も減少して厚さが薄いスリム型バックライトアセンブリ、更にスリム型液晶表示装置を生産することができる。例えば、各発光素子９７１の幅（Ｄ１）が約２ｍｍである場合、各発光素子９７１に対する空間的マージンを約０．２ｍｍ程度にすることができ、支持部９７２の幅（Ｄ２）は約２．２ｍｍであり得る。これは一つの例示に他ならず、上記値によって限定されないのは勿論である。
【００７７】
以下、図１２〜図１５を参照して本発明のまた他の実施形態によるバックライトアセンブリ、これを含む液晶表示装置及びその製造方法について説明する。図１２は、本発明のまた他の実施形態によるバックライトアセンブリ及びこれを含む液晶表示装置を説明するための一部の平面図である。図１３は、図１２に示す第１発光モジュールを説明するための部分斜視図である。図１４は、図１２に示す第２発光モジュールを説明するための部分斜視図である。図１５は、本発明のまた他の実施形態によるバックライトアセンブリ及びこれを含む液晶表示装置の第１発光モジュール及び第２発光モジュールを製作するための製作設計図を説明するための例示的な図である。
【００７８】
本発明のまた他の実施形態によるバックライトアセンブリ、これを含む液晶表示装置及びその製造方法は、第１配線部９７３ａ及び第２配線部９７３ｂの形態において本発明の一実施形態によるバックライトアセンブリ、これを含む液晶表示装置及びその製造方法と区別される。
【００７９】
図１２を参照すると、第１配線部９７３ａ及び第２配線部９７３ｂは、それぞれ第３配線部９７７ａ及び第４配線部９７７ｂと同一の方向に延長される第１領域９７３ａ、９７３ｂと、第３配線部９７７ａ及び第４配線部９７７ｂと実質的に直角方向に延長される第２領域９７３ａ’、９７３ｂ’を含み得る。
【００８０】
図１３を参照すると、第１発光モジュール９７０ａの第１配線部９７３ａは第１支持部９７２ａ上に実装された複数の第１発光素子９７１ａの配線が配置された第３配線部９７７ａと接続されるが、第１領域９７３ａでは第３配線部９７７ａと同じ方向に延長され、折れ目（ＦＬ）（折曲部）を基準に折れて第２領域９７３ａ’では第３配線部９７７ａと直角方向に延長され得る。例えば、第１配線部９７３ａの第１領域９７３ａは、第３配線部９７７ａと同じ方向、即ち平行であるように延長され得る。第１配線部９７３ａの第２領域９７３ａ’は第１配線部９７３ａの折れ目（ＦＬ）を境に第１配線部９７３ａを下へ折って第３配線部９７７ａと直角方向に延長されるようにすることができる。
【００８１】
図１４を参照すると、第２発光モジュール９７０ｂの第２配線部９７３ｂも同様に、第２支持部９７２ｂ上に実装された複数の第２発光素子９７１ｂの配線が配置された第４配線部９７７ｂと接続されるが、第１領域９７３ｂでは第４配線部９７７ｂと同じ方向に延長され、折れ目（ＦＬ）を基準に折れ、第２領域９７３ｂ’では第４配線部９７７ｂと直角方向に延長され得る。更に詳細な説明は第１発光モジュールの第１配線部９７３ａと実質的に同一であるため省略する。
【００８２】
図１５を参照すると、本発明のまた他の実施形態によるバックライトアセンブリ及びこれを含む液晶表示装置の第１発光モジュール及び第２発光モジュールを製作するための第１モジュールベース９８０ａ及び第２モジュールベース９８０ｂのうち少なくとも一つは「Ｕ」字形状で形成され得る。
【００８３】
例えば、第１モジュールベース９８０ａは、第１支持部（図１３の９７２ａ参照）を形成する第１支持ベース９８１ａと、第３配線部（図１３の９７７ａ参照）を形成する第３配線ベース９８７ａと、第１配線部（図１３の９７３ａ及び９７３ａ’参照）を形成する第１配線ベース９８３ａを含み得る。第１接続端子ベース９８４ａは第１接続端子９７４ａで形成される。一実施形態において、第１折れ目（ＦＬ１）は、第１支持部９７２ａと、第３配線部９７７ａが「Ｌ」字形状を成すように第１支持ベース９８１ａと第３配線ベース９８７ａとの間に形成され得る。また、第２折れ目（ＦＬ２）は、第１配線部９７３ａが第３配線部９７７ａと同じ方向に延長される第１領域（図１３の９７３ａ参照）と、第３配線部９７７ａと直角方向に延長される第２領域（図１３の９７３ａ’参照）を含むように、第１配線ベース９８３ａの進行方向の斜線方向に形成され得る。
【００８４】
同様に、第２モジュールベース９８０ｂは、第２支持部（図１４の９７２ｂ参照）を形成する第２支持ベース９８１ｂと、第４配線部（図１４の９７７ｂ参照）を形成する第４配線ベース９８７ｂと、第２配線部（図１４の９７３ｂ及び９７３ｂ’参照）を形成する第２配線ベース９８３ｂを含み得る。第２接続端子ベース９８４ｂと、第３及び第４折れ目（ＦＬ３、ＦＬ４）も第１モジュールベース９８０ａと実質的に同一であるため詳細な説明は省略する。
【００８５】
図面では第１モジュールベース９８０ａ及び第２モジュールベース９８０ｂがすべて「Ｕ」字形状である場合を図示しているが、場合によって第１モジュールベース９８０ａ及び第２モジュールベース９８０ｂのうちの何れか一つのみが「Ｕ」字形状で製作され得る。第１モジュールベース９８０ａ及び第２モジュールベース９８０ｂを「Ｕ」字形状で製作する場合、第１発光モジュール及び第２発光モジュールを生産するのに必要な印刷回路基板の面積をより効率的に使用することができる。即ち、第１発光モジュール及び第２発光モジュール、更に液晶表示装置の製作費用を減少させることができる長所がある。
【００８６】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００８７】
１０    液晶表示装置
１００    第１表示板
１５０    液晶層
２００    第２表示板
３００    液晶パネル
４００    ゲートドライバ
５００    データドライバ
６００    タイミングコントローラ
６００＿１    映像信号制御モジュール
６００＿２    光データ信号制御モジュール
６１０    制御信号生成部
６２０    映像信号処理部
６３０    代表値決定部
６４０    輝度変換部
６５０    光データ信号出力部
７００    光ドライバモジュール
７００＿１〜７００＿ｍ    第１〜第ｍ光ドライバ
７１１    接続部
９１０    上部収納容器
９３０    液晶パネルアセンブリ
９３１    ゲートテープキャリアパッケージ
９３２    データテープキャリアパッケージ
９３５    統合印刷回路基板
９４０    バックライトアセンブリ
９４１    光学シート
９４２    導光板
９４６    反射シート
９５０ａ、９７０ａ    第１発光モジュール
９５０ｂ、９７０ｂ    第２発光モジュール
９５１ａ、９７１ａ    第１発光素子
９５１ｂ、９７１ｂ    第２発光素子
９５２ａ、９７２ａ    第１支持部
９５２ｂ、９７２ｂ    第２支持部
９５３ａ、９５３ｂ    第１配線部及び第２配線部
９５４ａ、９７４ａ    第１接続端子
９５４ｂ、９７４ｂ    第２接続端子
９６０    下部収納容器
９７３ａ、９７３ｂ    第１及び第２配線部（第１領域）
９７３ａ’、９７３ｂ’    第２領域
９７７ａ、９７７ｂ    第３及び第４配線部
９８０ａ、９８０ｂ    第１及び第２モジュールベース
９８１ａ、９８１ｂ    第１及び第２支持ベース
９８３ａ、９８３ｂ    第１及び第２配線ベース
９８４ａ、９８４ｂ    第１及び第２接続端子ベース
９８７ａ、９８７ｂ    第３及び第４配線ベース
【図１】
2010108929.tif 000003
【図２】
2010108929.tif 000004
【図３】
2010108929.tif 000005
【図４】
2010108929.tif 000006
【図５】
2010108929.tif 000007
【図６】
2010108929.tif 000008
【図７】
2010108929.tif 000009
【図８】
2010108929.tif 000010
【図９】
2010108929.tif 000011
【図１０】
2010108929.tif 000012
【図１１】
2010108929.tif 000013
【図１２】
2010108929.tif 000014
【図１３】
2010108929.tif 000015
【図１４】
2010108929.tif 000016
【図１５】
2010108929.tif 000017